(57)【特許請求の範囲】
【請求項１】
フレーム（１）に形成されたジョイントフォーク（６）の、ヒンジ軸（７）の方向に互いに間隔を置いて配置された２つの脚の間に挿入されたヒンジタブ（５）と、旋回アーム（１０）に配置された、ヒンジタブ（５）をジョイントフォーク（６）に支承するためのヒンジ軸（７）を有し、旋回アーム（１０）が、ヒンジ軸（７）に対して垂直な傾斜軸（９）を中心として旋回可能で、旋回アーム（１０）の相手歯部（１３）と協働する係止歯部（１２）を介してそれぞれの旋回位置で固定可能である、眼鏡用のヒンジジョイント（４）において、
旋回アーム（１０）が、ヒンジタブ（５）をヒンジ軸（７）の方向に貫通する長穴（１１）内に設けられ、この長穴の長手方向壁が、内側に、傾斜軸（９）に対して半径方向に整向された、旋回アーム（１０）の相手歯部（１３）と協働する係止歯部（１２）を備えること、及び、ヒンジタブ（５）が、傾斜軸（９）に対して旋回遊び（１４）をもってジョイントフォーク（６）の脚の間に挿入されていること、を特徴とするヒンジジョイント（４）。
【請求項２】
傾斜軸（９）が、ヒンジ軸（７）の領域内に延在すること、を特徴とする請求項１に記載のヒンジジョイント（４）。
【発明の詳細な説明】
【技術分野】
【０００１】
本発明は、ジョイントフォークの２つの脚の間で係合するヒンジタブと、旋回アームに配置された、ヒンジタブとジョイントフォークの間のヒンジ軸とを有し、旋回アームが、ヒンジ軸に対して垂直な傾斜軸を中心として旋回可能で、旋回アームの相手歯部と協働する係止歯部を介してそれぞれの旋回位置で固定可能である、眼鏡用のヒンジジョイントに関する。
【背景技術】
【０００２】
レンズの枠を構成するフレームに対するテンプルの傾斜調整のため、ヒンジ軸に対して垂直な傾斜軸を中心として旋回可能にフレームの収容ポケットに支承されかつ係止歯部により個々の傾斜位置に固定される旋回アームとして、ヒンジ軸を形成された中心のヒンジタブを形成することが公知である（欧州特許第１  １３１  ６６７号明細書）。この係止歯部は、収容ポケットの側壁に設けられ、板状の旋回アームにおける相手歯部と協働する。従って、ヒンジタブの、これによりヒンジ軸の、傾斜軸を中心とする旋回により、テンプルの傾斜は、係止歯部により設定された角度ステップで行なうことができる。ヒンジジョイントの中心のヒンジタブの付加的な旋回支承により、比較的費用の掛かる構造が生じ、加えてこの構造は、相応のスペースを必要とし、これが、眼鏡用のデザインの可能性を限定する。
【先行技術文献】
【特許文献】
【０００３】
【特許文献１】欧州特許第１  １３１  ６６７号明細書
【発明の概要】
【発明が解決しようとする課題】
【０００４】
従って、本発明の根底にある課題は、傾斜軸を有しない眼鏡用のヒンジジョイントに比べて実質的に一致するスペースの要求があり、付加的な構造費用を小さく維持するように、テンプルの傾斜角度の調整の可能性を有するヒンジジョイントを形成することにある。
【課題を解決するための手段】
【０００５】
冒頭で述べた形式のヒンジジョイントから出発して、本発明は、旋回アームが、ヒンジタブをヒンジ軸の方向に貫通する長穴内に設けられ、この長穴の長手方向壁が、傾斜軸に対して半径方向に整向された、旋回アームの相手歯部と協働する係止歯部を構成すること、及び、ヒンジタブが、傾斜軸に対して旋回遊びをもってジョイントフォークの脚の間で係合することによって、提起した課題を解決する。
【０００６】
この措置により、ヒンジ軸を有する中心のヒンジタブではなく、ヒンジ軸だけが、中心のヒンジタブに対して旋回されるので、テンプルの傾斜設定のために必要な構造費用はわずかに維持されるが、それは、ヒンジ軸のための旋回アームを収容するための中心のヒンジタブだけが、ヒンジタブをヒンジ軸の方向に貫通する長穴を備え得るからである。ヒンジタブの長穴内にガイドされた旋回アームは、ヒンジ軸の方向だけに長穴から出ることができる。しかしながらヒンジジョイントのジョイントフォークが中心のヒンジタブを両側から把持するので、ヒンジ軸を支持する旋回アームは、ヒンジジョイントの使用位置で、ヒンジ軸の方向にはヒンジタブの長穴から出ることができない。従って幾何学的な傾斜軸に対して半径方向に整向された係止歯部が、相手歯部を構成する旋回アームのために設けられると、旋回アームを、これによりヒンジ軸を、幾何学的な傾斜軸を中心としてヒンジタブに対して旋回させるために、実体的な傾斜軸を必要としない。ヒンジタブとジョイントフォークの脚との間の相応の旋回遊びのためだけに使用することができる。これは、本発明によるヒンジジョイントが簡単な構造形式を備えるだけでなく、傾斜軸を有しない眼鏡用のヒンジジョイントと全く比較可能な構造サイズも許容することを意味する。
【０００７】
傾斜軸が、ヒンジ軸の領域内に延在すると、特に簡単な構造条件が得られるが、それは、この場合には、傾斜軸を中心とした旋回調整にヒンジタブに対するヒンジ軸の変位が限定されるからである。
【０００８】
図面には、本発明の対象が、例として図示されている。
【図面の簡単な説明】
【０００９】
【図１】フレームとテンプルの間の本発明によるヒンジジョイントの部分的に断面にしたテンプルの内側に対する側面図
【図２】図１の切断線ＩＩ−ＩＩによるヒンジジョイントの中心のヒンジタブを通る拡大断面図
【発明を実施するための形態】
【００１０】
図１に部分的に図示した眼鏡は、レンズ２を収容するためのフレーム１と、ヒンジジョイント４を介してフレーム１と結合された２つのテンプル３を備える。このヒンジジョイント４は、中心のヒンジタブ５と、このヒンジタブ５を両側から把持するジョイントフォーク６を有し、このジョイントフォークは、ヒンジ軸７を介してヒンジタブ５とジョイント式に結合されている。ヒンジ軸７は、図示した実施例によれば、ジョイントフォーク６の周囲側が開放した支承空所８内に保持され、中心のヒンジタブ５から両側に突出する、ヒンジ軸７の端部が、半径方向にスナップロック式に支承空所位８内へ圧入されるが、しかしながらこれは、強制的ではない。
【００１１】
従来のヒンジジョイントとは異なり、ヒンジジョイント４のヒンジ軸７は、ヒンジタブ５に対して、ヒンジ軸７に対して垂直に延在する傾斜軸９を中心として旋回調整可能に支承されている。この目的のため、ヒンジ軸７は、旋回アーム１０によって支持され、この旋回アームは、ヒンジタブ５の長穴１１内に挿入されている。この長穴１１は、ヒンジタブ５をヒンジ軸７の方向に貫通し、旋回アーム１０は、長穴１１内で、傾斜軸９に対して半径方向に整向された、長穴１１の長手方向壁の係止歯部１２によって設定される幾何学的な傾斜軸９を中心として旋回することができる。係止歯部１２は、旋回アーム１０の側壁の相応の相手歯部１３と協働するので、旋回アーム１０は、ヒンジタブ５に対して、係止歯部１２のピッチに応じた角度ステップだけ旋回させることができる。従って、フレーム１に対するテンプル３の傾斜設定のため、テンプル３は、係止歯部１２の係止抵抗を克服してフレーム１に対して旋回させることができる。この旋回調整がヒンジフォーク６によって妨害されないように、ヒンジタブ５とヒンジフォークの脚との間に相応の旋回遊び１４を設けることができる。
【符号の説明】
【００１２】
１      フレーム
２      レンズ
３      テンプル
４      ヒンジジョイント
５      ヒンジタブ
６      ジョイントフォーク
７      ヒンジ軸
８      支承空所
９      傾斜軸
１０    旋回アーム
１１    長穴
１２    係止歯部
１３    相手歯部
１４    旋回遊び
【図１】
0006513578.tif 000002
【図２】
0006513578.tif 000003